(57)【特許請求の範囲】
【請求項１】
太陽光を用いて発電する太陽光発電装置（５）の運転と当該太陽光発電装置によって発電した電力を使用可能な電気装置（３，７）の運転とをそれぞれ離れた場所で遠隔制御する制御装置（２１）と、
前記太陽光発電装置に関する情報と前記電気装置に関する情報とが表示されるとともに、表示される部分における所定の部位が操作入力可能に構成される表示入力部（２０）と、
前記表示入力部の前記所定の部位であり、操作入力されることによって前記太陽光発電装置を遠隔制御可能な表示画面と前記電気装置を遠隔制御可能な表示画面とに切り換える表示設定部（２４）と、
を備え、
前記表示入力部は、
前記太陽光発電装置に関する情報である複数の表示項目が主として表示され、かつ前記太陽光発電装置を遠隔制御可能な第１の画面と、
前記電気装置に関する情報である複数の表示項目が主として表示され、かつ前記電気装置を遠隔制御可能な第２の画面と、
を前記表示設定部への操作入力によって切り換え可能に表示し、
前記第１の画面においては、前記電気装置の設定状態に関する情報である表示項目を、前記第２の画面における前記電気装置に関する前記複数の表示項目よりも少ない数で表示し、
前記第２の画面においては、前記太陽光発電装置に関する情報である表示項目を、前記第１の画面における前記太陽光発電装置に関する前記複数の表示項目よりも少ない数で表示することを特徴とする遠隔制御装置。
【請求項２】
前記電気装置は、電気で駆動される機器を有して給湯用水を沸き上げる給湯装置（３）であり、
前記表示入力部に表示される前記給湯装置の設定状態に関する情報は、運転モード、設定された設定給湯温度、及び実際に出湯される給湯用水の実給湯温度の少なくとも一つであることを特徴とする請求項１に記載の遠隔制御装置。
【請求項３】
前記表示入力部は、前記表示設定部への操作入力によって前記太陽光発電装置を遠隔制御可能な前記第１の画面を表示しているときに、前記給湯装置の設定状態に関する情報を、前記太陽光発電装置に関する情報よりも小さく表示することを特徴とする請求項２に記載の遠隔制御装置。
【請求項４】
前記給湯装置は、湯を蓄えるタンク（３０）を備える貯湯式給湯装置（３）であり、
前記表示入力部は、前記表示設定部への操作入力によって前記貯湯式給湯装置を遠隔制御可能な前記第２の画面を表示しているときに、前記貯湯式給湯装置の貯湯量に関する情報及び運転情報と、前記太陽光発電装置の発電及び売買電力に関する情報とを表示することを特徴とする請求項２に記載の遠隔制御装置。
【請求項５】
前記表示入力部は、前記表示設定部への操作入力によって前記給湯装置を遠隔制御可能な前記第２の画面を表示しているときに、前記太陽光発電装置に関する情報を、前記給湯装置に関する情報よりも小さく表示することを特徴とする請求項２に記載の遠隔制御装置。
【請求項６】
所定時間が経過すると前記表示入力部の表示を消す表示解除部（２５）と、
当該表示解除部（２５）による前記表示の消去後に、次に前記表示入力部に表示させる初期表示を、前記給湯装置を遠隔制御可能な前記第２の画面か、前記太陽光発電装置を遠隔制御可能な前記第１の画面のいずれかに設定する初期表示設定部（２３）と、
を備えることを特徴とする請求項２から請求項５のいずれか一項に記載の遠隔制御装置。
【発明の詳細な説明】
【技術分野】
【０００１】
本発明は、電気装置を制御し、太陽光発電装置を制御する遠隔制御装置に関する。
【背景技術】
【０００２】
遠隔制御装置の従来例として、特許文献１に記載の装置が知られている。この従来の遠隔制御装置は、他所に設置された給湯装置の作動を制御する遠隔操作機能と、テレビ画像を表示するテレビ機能とを備え、浴室内に設置されている。当該従来の遠隔制御装置において、遠隔操作機能を作動させると、各種制御項目と、各制御項目に対応する制御内容（例えば、給湯温度、風呂温度）とを、テレビ画像を表示する画像表示部に表示する。
【先行技術文献】
【特許文献】
【０００３】
【特許文献１】特開２００６‐９８０１１号公報
【発明の概要】
【発明が解決しようとする課題】
【０００４】
最近、電気装置の多様化、数の多さ等に伴い、機器毎に対応する個別の遠隔制御装置ではなく、建物内の複数の機器の状態、作動、エネルギー使用状態等をまとめて管理、制御できる遠隔制御装置が求められている。
【０００５】
しかしながら、上記の従来技術に係る遠隔制御装置は、他所に設置された給湯装置の遠隔制御装置における表示部に、テレビ画像を表示するものにすぎず、離れた所に設置されている複数の機器を制御できるものではない。また、当該遠隔制御装置においては、ユーザーが必要に応じて、リモコンの表示画面を切り替えて、複数の機器の遠隔制御を実施したり、当該複数の機器に関する欲しい情報を確認したりすることもできない。
【０００６】
そこで、本発明は上記問題点を鑑みてなされたものであり、その目的は、太陽光発電装置及び電気装置を遠隔制御可能な装置であって、太陽光発電装置を制御可能な表示状態で電気装置に関する情報を確認できる遠隔制御装置を提供することである。
【課題を解決するための手段】
【０００７】
上記目的を達成するために以下の技術的手段を採用する。すなわち、請求項１に係る遠隔制御装置の発明は、太陽光を用いて発電する太陽光発電装置（５）の運転と太陽光発電装置によって発電した電力を使用可能な電気装置（３，７）の運転とをそれぞれ離れた場所で遠隔制御する制御装置（２１）と、太陽光発電装置に関する情報と電気装置に関する情報とが表示されるとともに、表示される部分における所定の部位が操作入力可能に構成される表示入力部（２０）と、表示入力部の所定の部位であり、操作入力されることによって太陽光発電装置を遠隔制御可能な表示画面と電気装置を遠隔制御可能な表示画面とに切り換える表示設定部（２４）と、を備え、
表示入力部は、太陽光発電装置に関する情報である複数の表示項目が主として表示され、かつ太陽光発電装置を遠隔制御可能な第１の画面と、電気装置に関する情報である複数の表示項目が主として表示され、かつ電気装置を遠隔制御可能な第２の画面と、を表示設定部への操作入力によって切り換え可能に表示し、
第１の画面においては、電気装置の設定状態に関する情報である表示項目を、第２の画面における電気装置に関する複数の表示項目よりも少ない数で表示し、第２の画面においては、太陽光発電装置に関する情報である表示項目を、第１の画面における太陽光発電装置に関する複数の表示項目よりも少ない数で表示することを特徴とする。
【０００８】
この発明によれば、太陽光発電装置と電気装置の両方を遠隔制御可能な遠隔制御装置において、太陽光発電装置を制御可能な表示画面で電気装置の設定状態に関する情報を確認することができる。
【０００９】
請求項２によると、請求項１に記載の遠隔制御装置において、電気装置は、電気で駆動される機器を有して給湯用水を沸き上げる給湯装置（３）であり、表示入力部に表示される給湯装置の設定状態に関する情報は、運転モード、設定された設定給湯温度、及び実際に出湯される給湯用水の実給湯温度の少なくとも一つであることを特徴とする。
【００１０】
この発明によれば、太陽光発電装置と給湯装置の両方を遠隔制御可能な遠隔制御装置において、太陽光発電装置を制御可能な表示画面で給湯装置の運転モード、設定された設定給湯温度、及び実際に出湯される給湯用水の実給湯温度の少なくとも一つを確認することができる。太陽光発電装置の運転を制御できる状況において、確認できる給湯装置の現在の重要情報を、太陽光発電装置の運転の制御に活用することができる。
【００１１】
請求項３によると、請求項２に記載の遠隔制御装置において、表示入力部は、表示設定部への操作入力によって太陽光発電装置を遠隔制御可能な第１の画面を表示しているときに、給湯装置の設定状態に関する情報を、太陽光発電装置に関する情報よりも小さく表示することを特徴とする。
【００１２】
この発明によれば、メイン画面である太陽光発電装置を遠隔制御可能な第１の画面に太陽光発電装置に関する情報を大きく表示し、給湯装置の設定状態に関する情報を小さく表示する。これにより、太陽光発電装置が発電した電力の消費に関わりをもつ給湯装置の状態が確認可能であるとともに、さらに制御主体である太陽光発電装置の状態が視認しやすい表示形態を実現できる。
【００１３】
請求項４によると、請求項２に記載の遠隔制御装置において、給湯装置は、湯を蓄えるタンク（３０）を備える貯湯式給湯装置（３）であり、表示入力部は、表示設定部への操作入力によって貯湯式給湯装置を遠隔制御可能な第２の画面を表示しているときに、貯湯式給湯装置の貯湯量に関する情報及び運転状態情報と、太陽光発電装置の発電及び売買電力に関する情報とを表示することを特徴とする。
【００１４】
この発明によれば、太陽光発電装置の発電及び売買電力に関する情報と貯湯式給湯装置の貯湯量に関する情報及び運転状態情報とを対比させて、省エネルギーが図れるように、両方の装置の運転をそれぞれ制御することができる。
【００１５】
請求項５によると、請求項２に記載の遠隔制御装置において、表示入力部は、表示設定部への操作入力によって給湯装置を遠隔制御可能な第２の画面を表示しているときに、太陽光発電装置に関する情報を、給湯装置に関する情報よりも小さく表示することを特徴とする。
【００１６】
この発明によれば、メイン画面である給湯装置を遠隔制御可能な第２の画面に給湯装置に関する情報を大きく表示し、太陽光発電装置に関する情報を小さく表示する。このため、太陽光発電装置の発電状態が確認可能であるとともに、さらに制御主体である給湯装置の状態を視認しやすいことにより、太陽光発電装置による発電を有効活用した給湯装置の制御を支援することができる。
【００１７】
請求項６によると、請求項２から請求項５のいずれか一項に記載の遠隔制御装置において、所定時間が経過すると表示入力部の表示を消す表示解除部（２５）と、表示解除部（２５）による表示の消去後に、次に表示入力部に表示させる初期表示を、給湯装置を遠隔制御可能な第２の画面か、太陽光発電装置を遠隔制御可能な第１の画面のいずれかに設定する初期表示設定部（２３）と、を備えることを特徴とする。
【００１８】
この発明によれば、ユーザーの重視する装置、使用頻度の高い装置等を制御可能とする表示画面を初期表示画面に設定することができる。したがって、ユーザーの好みや利便性の向上を満足できる遠隔制御装置を提供できる。
【００１９】
なお、特許請求の範囲および上記手段の項に記載した括弧内の符号は、ひとつの態様として後述する実施形態に記載の具体的手段との対応関係を示す一例であって、本発明の技術的範囲を限定するものではない。
【図面の簡単な説明】
【００２０】
【図１】本発明の遠隔制御装置を適用する第１実施形態の統合制御システムを示した概要図である。
【図２】第１実施形態の遠隔制御装置の構成図である。
【図３】第１実施形態の遠隔制御装置において、太陽光発電装置の運転状態を表示するとともに、運転を制御できる表示入力画面を示した図である。
【図４】第１実施形態の遠隔制御装置において、電気装置の運転状態を表示するとともに、運転を制御できる表示入力画面を示した図である。
【図５】第１実施形態の遠隔制御装置において、「設定」表示を操作した後に表示される表示入力画面を示した図である。
【図６】第１実施形態の遠隔制御装置において、「画面設定」表示を操作した後に表示される表示入力画面を示した図である。
【図７】第１実施形態の遠隔制御装置において、「ホーム画面設定」表示を操作した後に表示される表示入力画面を示した図である。
【図８】第１実施形態の遠隔制御装置において、ホーム画面を「ソーラー」に設定した後に表示されるホーム画面を示した図である。
【発明を実施するための形態】
【００２１】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合わせることも可能である。
【００２２】
本発明に係る遠隔制御装置は、例えば、複数の機器を遠隔制御できる装置である。当該遠隔制御装置によって制御されるシステムは、太陽光発電装置と他の電気装置とをまとめて制御できる遠隔制御装置を備えるシステムである。また、当該システムは、使用が予測される使用熱量、使用電力に対して、太陽光発電装置により発電される電力量では不足する分の電力量を、昼間の電気料金よりも安価な料金体系である所定の安価料金時間帯に、加熱運転を実施してタンクに蓄熱する運転を実施する。
【００２３】
（第１実施形態）
本発明の遠隔制御装置の一実施形態である第１実施形態について、図１〜図８を参照して説明する。図１は、第１実施形態の遠隔制御装置２を備える統合制御システム１を示した概要図である。図２は、遠隔制御装置２の構成図である。
【００２４】
図１に示すように、統合制御システム１は、太陽光エネルギーを得て発電する太陽電池を有する太陽光発電装置５と、太陽光発電装置５からの電力及び電力会社等から供給される系統電力８を受電して各種の電気装置に供給したり、系統電力８に売電したりするパワーコンディショナー４と、太陽光発電装置５及び複数の電気装置を離れた場所で遠隔制御する遠隔制御装置２と、を主に備えるシステムである。統合制御システム１は、電気装置の一例として各種の電気製品７、給湯装置３を制御するものであり、太陽光を利用した発電と、昼間の電気料金よりも安価な料金体系である所定の安価料金時間帯（例えば、深夜料金時間帯）に実施する沸き上げ運転とを活用して、省エネルギー性を優先しつつ、ユーザーの要望を満たした給湯を行うことができる。
【００２５】
太陽光発電装置５が太陽光エネルギーから発電する直流電力及び系統電力８から送電される交流電力は、パワーコンディショナー４に送られる。パワーコンディショナー４は、太陽光発電装置５で発電した直流電力を効率よく交流電力に変換したり、系統電力８からの交流電力を直流電力に変換したりする電力変換装置である。パワーコンディショナー４に送られた電力は、交流と直流の間で電力変換されて、各種の電気製品７、コンセント６、給湯装置３に供給される。各種の電気製品７は、例えば、照明機器、空調装置、床暖房装置、浴室暖房装置等である。
【００２６】
給湯装置３は、ヒートポンプサイクルを用いた加熱装置であるヒートポンプユニット３１と、ヒートポンプユニット３１によって沸き上げた給湯用水を蓄えるタンク３０と、沸き上げ運転に係るヒートポンプユニット３１の作動、出湯に係る電磁弁、混合弁等の各部の作動等を制御する給湯制御装置３２と、を備える。給湯装置３は、浴槽やシャワーなどへ出湯するときには、状況に応じて、深夜料金時間帯の系統電力８を使用してタンク３０に蓄えた貯湯水のみを使用したり、昼間における太陽光発電装置５の電力、または系統電力８からの電力を使用して給湯用水を沸き上げて使用したりする。
【００２７】
ヒートポンプユニット３１は、冷媒を熱交換媒体とするヒートポンプサイクルからなりタンク３０内の水を加熱可能な加熱装置である。ヒートポンプユニット３１は給湯制御装置３２からの制御信号により作動するとともに、その作動状態を給湯制御装置３２に出力するように構成されている。ヒートポンプユニット３１は、過去の使用実績等から、翌日に使用が予測される熱量をタンク３０に蓄えておくために、深夜料金時間帯の系統電力８を使用して給湯用水を沸き上げ、タンク３０に蓄える。
【００２８】
タンク３０は耐食性に優れた金属製のタンクであり、その外周部に図示しない断熱材が配置されており、高温の給湯用水を長時間に渡って保温することができる。給湯制御装置３２は、タンク３０に設けたサーミスタからの温度情報に基づいて、タンク３０内上方の沸き上げられた湯とタンク３０内下方の沸き上げられる前の水との境界位置を検出でき、さらに温度及び湯量の検出することにより、タンク３０内に蓄えられている蓄熱量を算出することができる。
【００２９】
図２に示すように、遠隔制御装置２は、太陽光発電装置５の運転と電気を使用する各種の電気装置の運転とをそれぞれ離れた場所で遠隔制御する統合ＥＣＵ２１と、表示画面であって操作入力ができる操作画面でもある表示入力部２０と、表示入力部２０の表示画面を設定する表示設定部２４と、統合される各装置の運転を操作する運転操作部２２と、を備える。さらに遠隔制御装置２は、表示解除部２５と初期表示設定部２３とを備える。遠隔制御装置２は、表示入力部２０に、太陽光発電装置５の運転を制御可能である表示状態と、各種の電気装置の運転を制御可能である表示状態と、をそれぞれ表示することができる。ユーザーは、表示入力部２０を操作することにより、表示状態に対応した制御可能な装置を制御できる。
【００３０】
統合ＥＣＵ２１は、表示入力部２０の表示画面を表示制御部２１０によって表示し、太陽光発電装置５の運転と電気を使用する各種の電気装置の運転とをそれぞれ離れた場所で遠隔制御する。統合制御システム１が統合する電気装置及び太陽光発電装置５の運転状況、設定情報等の各種情報は、表示制御部２１０の表示制御によって、表示入力部２０の表示画面に表示される。表示入力部２０は、太陽光発電装置５に関する情報と電気装置に関する情報とが表示されるとともに、表示される部分における所定の部位が操作入力可能に構成され、例えば、液晶表示部及び入力部を有するタッチパネルにより構成される。また、遠隔制御装置２は、電力使用先である家庭等での各電気装置の動作、エネルギー使用量を計測、表示して、ユーザーに省エネルギーを喚起したり、電気装置の使用量等を制限したりしてエネルギー消費量を抑えるホームエネルギーマネジメントシステムとしても機能する。
【００３１】
表示設定部２４は、表示入力部２０の所定の部位であって、操作入力されることによって太陽光発電装置５を遠隔制御可能な表示画面と電気装置を遠隔制御可能な表示画面とに切り換える。表示設定部２４が操作されると、その操作信号は統合ＥＣＵ２１に入力されて、表示制御部２１０は、当該操作信号に対応して表示入力部２０の表示画面を切り換える制御を行う。
【００３２】
表示入力部２０は、表示設定部２４に対する操作入力によって太陽光発電装置５を遠隔制御することができる画面が表示されているときに、給湯装置３等の設定状態に関する情報を表示する。表示解除部２５は、例えば、前回の操作から所定時間が経過すると表示入力部２０の表示を消す機能を有する。表示解除部２５は、表示入力部２０の表示を消す条件と成立すると、統合ＥＣＵ２１に表示消去の信号を送信し、表示制御部２１０は、表示入力部２０の表示画面を消すために、例えば表示画面を消灯する制御を行う。
【００３３】
初期表示設定部２３は、表示解除部２５の操作により、表示制御部２１０が表示入力部２０の表示画面を消した後に、次に表示入力部２０に表示させる初期表示画面を設定する機能を有する。ここでは、初期表示設定部２３は、電気装置の一例である給湯装置３を遠隔制御できる表示画面か、太陽光発電装置５を遠隔制御できる表示画面のいずれかに初期表示画面を設定することができる。
【００３４】
図３は、太陽光発電装置５の運転状態を表示するとともに、その運転を制御できる表示入力画面を示した図である。図４は、エコキュート（関西電力の登録商標である）の運転状態を表示するとともに、運転を制御できる表示入力画面を示した図である。
【００３５】
図３に示すように、「ソーラー」のトップ画面では、表示入力部２０の画面最上部には、表示設定部２４に含まれる、「ソーラー」表示である入力部２４０、「エコキュート」表示である入力部２４１、「設定」表示である入力部２４２、「履歴」表示である入力部２４３が表示されている。表示入力部２０の画面の最下部には、運転操作部２２に含まれる「おすすめ」表示である入力部２２０、「実績」表示の入力部、「お知らせ」表示の入力部が表示されている。入力部２２０をタッチすると、統合ＥＣＵ２１は、太陽光発電装置５の運転をおすすめモードに制御する。「実績」表示の入力部をタッチすると、表示制御部２１０は、太陽光発電装置５に関する使用実績を表示する画面に切り替える。「お知らせ」表示の入力部をタッチすると、表示制御部２１０は、エラー情報、モニタリングセンターからの情報等を表示する画面に切り替わる。
【００３６】
「ソーラー」表示の入力部２４０がタッチされると、表示制御部２１０は、図３に示す画面を表示入力部２０に表示する。この状態は、太陽光発電装置５が制御可能な表示状態であり、太陽光発電装置５に関する情報がメインとして表示され、給湯装置３の設定状態に関する情報がサブとして表示される。
【００３７】
この表示状態では、表示入力部２０の画面中央に太陽光発電装置５の運転状態が大きく表示される。太陽光発電装置５の運転状態としては、総発電量（「５．５９ｋＷ」の数値とその棒グラフの表示）、住宅の消費電力（「２．２４ｋＷ」の数値とその棒グラフの表示）、売電中状態とその電力（「３．３５ｋＷ」の数値）が表示されている。
【００３８】
さらにその上方には、給湯装置３の貯湯量（タンク３０の残湯量を図示したもの）、設定給湯温度（図示は「６０℃」表示）、給湯温度レベル（図示は「高温」表示）、給湯装置３の運転状態（図示は「湯増し」表示）が中央の太陽光発電装置５の運転状態よりも小さく表示される。なお、当該表示部分には、実際の温度である実給湯温度を小さく表示してもよい。このように、表示入力部２０は、表示設定部２４への操作入力によって太陽光発電装置５を遠隔制御可能な画面を表示しているときに、給湯装置３の設定状態に関する情報を表示する。
【００３９】
図４に示すように、「エコキュート」のトップ画面では、表示入力部２０の画面の最下部には、運転操作部２２に含まれる「タンク湯増し」表示である入力部２２１、「今日の湯増し休止」表示の入力部２２２、「設定値の上下調整」表示である入力部２２３、「メニュー決定」表示の入力部２２４、「通話」表示である入力部が表示されている。入力部２２１をタッチすると、給湯制御装置３２は、タンク３０に湯増しする運転に制御する。入力部２２２をタッチすると、給湯制御装置３２は、今日の湯増し運転を停止する制御を実施する。入力部２２４をタッチすると、給湯装置３に関する運転メニューを現在の設定状態に決定する命令が統合ＥＣＵ２１に送られる。「通話」表示の入力部をタッチすると、浴室と通話可能な状態になる。
【００４０】
「エコキュート」表示の入力部２４１がタッチされると、表示制御部２１０は、図４に示す画面を表示入力部２０に表示する。この状態は、給湯装置３が制御可能な表示状態であり、給湯装置３に関する情報がメインとして表示され、太陽光発電装置５に関する情報がサブとして表示される。
【００４１】
この表示状態では、表示入力部２０の画面中央に給湯装置３の運転状態、設定状態等が大きく表示される。給湯装置３の運転状態としては、タンク内の貯湯量（タンク状況）、「湯増し」運転、「おまかせ省エネ」設定、高温の給湯運転、給湯温度（図示は「６０℃」）、風呂追焚き、設定風呂温度（図示は「４０℃」）が表示されている。
【００４２】
さらにその上方には、太陽光発電装置５の発電状況（１．２５ｋＷの「売電中」の表示）、が中央の給湯装置３の運転状態よりも小さく表示される。このように、表示入力部２０は、表示設定部２４への操作入力によって給湯装置３を遠隔制御可能な画面を表示しているときに、太陽光発電装置５に関する情報を表示する。
【００４３】
次に、表示入力部２０のホーム画面を設定するときの手順について図５〜図８を参照して説明する。以下に説明するホーム画面設定は、表示解除部２５によって表示入力部２０の表示が消されたときに、次に表示入力部２０に表示させる初期表示画面を設定するときに使用することができる。
【００４４】
まず、表示入力部２０における「設定」表示の入力部２４２を操作すると、表示制御部２１０は、図５に示す表示入力画面を表示入力部２０に表示する。次に、初期表示設定部２３に含まれる「画面設定」表示の入力部２３０を操作すると、表示制御部２１０は、図６に示す表示入力画面を表示入力部２０に表示する。
【００４５】
次に、初期表示設定部２３に含まれる「ホーム画面設定」表示の入力部２３１を操作すると、表示制御部２１０は、図７に示す表示入力画面を表示入力部２０に表示する。最後に、初期表示設定部２３に含まれる「ソーラー」表示の入力部２３２を操作すると、初期表示画面の設定が完了する。この場合、表示解除部２５による表示画面の消去後には、表示される表示入力部２０の初期表示画面として、図８に示す太陽光発電装置５を遠隔制御可能な表示画面が表示される。
【００４６】
なお、図７に示すホーム画面設定表示において、初期表示設定部２３に含まれる「エコキュート」表示の入力部２３３を操作すると、表示解除部２５による表示画面の消去後には、表示される表示入力部２０の初期表示画面として、給湯装置３を遠隔制御可能な表示画面が表示されるようになる。このように、初期表示設定部２３は、図７に示すホーム画面設定表示において操作された入力部をホーム画面として設定する。表示制御部２１０は、次に表示入力部２０が表示される際に、初期表示設定部２３によって設定された初期表示画面を表示する。
【００４７】
本実施形態の遠隔制御装置２がもたらす作用効果を以下に述べる。遠隔制御装置２は、太陽光発電装置５の運転と給湯装置３の運転とをそれぞれ離れた場所で遠隔制御する統合ＥＣＵ２１と、太陽光発電装置５に関する情報と給湯装置に関する情報とが表示されるとともに、表示される部分の所定の部位が操作入力可能に構成される表示入力部２０と、表示入力部２０の所定の部位であり、操作入力されることによって太陽光発電装置５を遠隔制御可能な表示画面と給湯装置３を遠隔制御可能な表示画面とに切り換える表示設定部２４と、を備える。表示入力部２０は、表示設定部２４への操作入力によって太陽光発電装置５を遠隔制御可能な画面を表示しているときに、給湯装置３の設定状態に関する情報を表示する。
【００４８】
これによれば、太陽光発電装置５と給湯装置３の両方を遠隔制御可能な遠隔制御装置２において、太陽光発電装置５を制御可能な表示状態において給湯装置３の設定状態に関する情報を確認することができる。また、ユーザーが遠隔制御装置２のメイン表示画面を、太陽光発電装置５を制御可能な画面と給湯装置３を制御可能な画面とに自由に設定することができるため、ユーザーは欲しい情報と制御したい装置とを見やすく、扱いやすい形態で使用することができる。
【００４９】
また、表示入力部２０に太陽光発電装置５を遠隔制御可能な画面が表示されているときに、表示入力部２０に表示される給湯装置３の設定状態に関する情報は、運転モード、設定された設定給湯温度、及び実際に出湯される給湯用水の実給湯温度の少なくとも一つである。
【００５０】
これによれば、ユーザーは、太陽光発電装置５を制御可能な表示画面において、給湯装置３の運転モード、設定された設定給湯温度、及び実際に出湯される給湯用水の実給湯温度の少なくとも一つを確認することができる。このため、ユーザーは、太陽光発電装置５の運転を制御できる状況において、確認できる給湯装置３の現在の重要情報を確認した上で、その情報を太陽光発電装置５の運転の制御に活用することができる。例えば、給湯装置３の運転において、実際の湯温が実給湯温度ほど必要ない場合には、設定給湯温度を下げる変更、省エネルギーできる運転モードに変更等を実施することで、省エネルギーを図ることができる。
【００５１】
また、表示入力部２０は、表示設定部２４への操作入力によって太陽光発電装置５を遠隔制御可能な画面を表示しているときに、給湯装置３に関する情報を、太陽光発電装置５に関する情報よりも小さく表示する。
【００５２】
この構成によれば、太陽光発電装置５が発電した電力の消費に関わりをもつ給湯装置３の状態が確認可能でありながらも、さらに制御主体である太陽光発電装置５の状態の視認性を高めることができる。また、太陽光発電装置５に関する情報として、発電量、消費電力、売電や買電の情報を表示し、給湯装置３に関する情報として、貯湯量、設定給湯温度、設定風呂温度、湯張り中や湯増し中等の運転状態、給湯温度、風呂温度、その他、注意伝達事項を表示する。これによれば、ユーザーに役立つ情報を効果的に認識させることができ、ユーザーの利便性の向上が図れる。
【００５３】
また、給湯装置３は、湯を蓄えるタンク３０を備える貯湯式給湯装置である。表示入力部２０は、表示設定部２４への操作入力によって貯湯式給湯装置を遠隔制御可能な画面を表示しているときに、貯湯式給湯装置の貯湯量に関する情報及び運転状態情報と、太陽光発電装置の発電及び売買電力に関する情報とを表示する。
【００５４】
これによれば、太陽光発電装置５の発電及び売買電力に関する情報と貯湯式給湯装置の貯湯量に関する情報及び運転状態情報とを対比させて、両方の装置の運転を制御することができる。したがって、全体の省エネルギーが図れるように、貯湯式給湯装置の運転を変更したり、太陽光発電装置５の売買電力のバランスを変更したりすることができる。
【００５５】
また、表示入力部２０は、表示設定部２４への操作入力によって給湯装置３を遠隔制御可能な画面を表示しているときに、太陽光発電装置５に関する情報を、給湯装置３に関する情報よりも小さく表示する。
【００５６】
この構成によれば、太陽光発電装置５の状態が確認可能でありながらも、さらに制御主体である給湯装置３の状態の視認性を高めることができる。このため、太陽光発電装置５による発電を有効活用した給湯装置３の制御を実施しやすい。このように、ユーザーに役立つ情報を効果的に認識させることができ、ユーザーの利便性の向上が図れる。
【００５７】
また、遠隔制御装置２は、所定時間が経過すると表示入力部２０の表示を消す表示解除部２５と、初期表示設定部２３とを備える。初期表示設定部２３は、表示解除部２５による表示の消去後に、次に表示入力部２０に表示させる初期表示を、給湯装置３を遠隔制御可能な表示画面か、太陽光発電装置５を遠隔制御可能な表示画面のいずれかに設定する。
【００５８】
これによれば、ユーザーは、重視する装置、使用頻度の高い装置、情報を知りたい装置等を初期表示画面に設定することができる。つまり、遠隔制御装置２は、ユーザーの好みや利便性の向上を満足できる表示を提供する。
【００５９】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００６０】
上記実施形態において説明する運転モードは、リモートコントローラに表示されて、直感的に分かりやすい他の所定名称が付された表示をユーザーが操作することにより設定されるようにしてもよい。
【００６１】
上記実施形態では、給湯用水を加熱する加熱装置としてヒートポンプユニットを用いた給湯装置を用いた実施形態について説明したが、本発明に含まれる給湯装置は、貯湯タンクと加熱装置との間で給湯用水を循環させるウォータポンプなどの電気で駆動される機器を有する給湯装置であればよく、ガス燃焼機などを加熱装置とする給湯装置を用いてもよい。
【００６２】
上記実施形態の統合制御システム１では、太陽光発電装置５で発電した電力を蓄電池に蓄電し、蓄電した電力を後の電力必要時に使用するようにしてもよい。また、この場合、蓄電池は、電力会社等から供給される系統電力８を受電して蓄電してもよい。さらに遠隔制御装置２は、使用が予測される電力量に対して、蓄電池に蓄電された蓄電量と翌日に太陽光発電装置５により発電できる予測する電力量とでは不足する分の蓄電量を算出する。統合制御システム１は、算出した当該不足する分の蓄電量を、昼間の電気料金よりも安価な料金体系である所定の安価料金時間帯（例えば、深夜料金時間帯）に系統電力８から受電して蓄電池に蓄電しておくことができる。
【符号の説明】
【００６３】
２…遠隔制御装置
３…給湯装置（電気装置）
５…太陽光発電装置
７…電気製品（電気装置）
２０…表示入力部
２１…統合ＥＣＵ（制御装置）
２３…初期表示設定部
２４…表示設定部
２５…表示解除部
３０…タンク
【図１】
0005803715.tif 000002
【図２】
0005803715.tif 000003
【図３】
0005803715.tif 000004
【図４】
0005803715.tif 000005
【図５】
0005803715.tif 000006
【図６】
0005803715.tif 000007
【図７】
0005803715.tif 000008
【図８】
0005803715.tif 000009